(57)【要約】【課題】  円形窓に合わせて加工及び施工し易い額縁及び該額縁を備えた窓を提供する。【解決手段】  建物開口部に配置された円形である開口部装置２１と、建物の室内側壁との間に配置される円形の額縁１０において、板材の一端と、該一端に対向する他端とがつき合わせられて形成された円筒状の部材で、該円筒状の一端を開口部装置の室内側に、円筒状の他端を建物の室内側壁に配置されたシート材１１と、環状に形成され、シート材の円筒状である外周面に巻き付けられて配置された帯状の部材であるシート固定材１２、１２とを備える。【選択図】      図２
2007085133.tif 000002
【特許請求の範囲】
【請求項１】
建物開口部に配置された円形である開口部装置と、前記建物の室内側壁との間に配置される円形の額縁であって、
板材の一端と、該一端に対向する他端とがつき合わせられて形成された円筒状の部材で、該円筒状の一端を前記開口部装置の室内側に、前記円筒状の他端を前記建物の室内側壁に配置されたシート材と、
環状に形成され、前記シート材の前記円筒状である外周面に巻き付けられて配置された帯状の部材であるシート固定材と、を備える額縁。
【請求項２】
請求項１に記載の前記額縁が、前記開口部装置の室内側に取り付けられて形成されることを特徴とする窓。
【発明の詳細な説明】
【技術分野】
【０００１】
本発明は、戸建やマンション等の住宅やオフィスビル、又は公共施設等の建物に備えられる円形窓に適用される額縁及び該額縁を備えた窓に関し、詳しくは、径の小さな円形窓の場合でも施工容易な額縁及び該額縁を備えた窓に関する。
【背景技術】
【０００２】
近年、建物の洋風化がこれまで以上に進み、いわゆるモダンなデザインである洋風建物が増加している。このような洋風建物では建物の形そのものだけではなく、建物を構成する各要素の随所にも洋風なデザインが採用されてきている。
【０００３】
洋風なデザインの建物の要素設計において窓は重要な要素の１つである。建物の窓は室内外の換気及び採光の手段としての機能に留まらず、建物の印象を決める重要な役割を有している。例えば窓の配置や形が異なると同じ形状の建物であってもその雰囲気は全く異なる。特に円形窓は洋風でモダンな建物である印象を与え、その需要も増加傾向にある。そして該増加傾向に伴い、需要者の希望も多岐に渡るようになり、かかる需要者の希望を反映する設計が必要となってきている。
【０００４】
また、このような新しい建物の要素が建物に適用されるに伴って、このように新しい要素が設置される周辺もそれに合わせられた変更が加えられる場合も少なくない。円形窓では窓が円形であるため、窓から室内側の壁に至るまでのいわゆる「額縁」も矩形の窓と異なり、断面が円形である必要があり、円筒状の額縁が必要である。
【０００５】
従来においては、このような円筒状の額縁は細長い板を組み合わせ円筒状に形成し、その上から壁紙等を貼り付けたり、径の大きな円形窓に関しては曲がりやすい合板を曲げて円筒を形成したりしていた。これらは特に文献により開示されているものではないが、当業者により行われている事項であり、実際の円形窓の額縁に適用されているところである。
【発明の開示】
【発明が解決しようとする課題】
【０００６】
しかし、従来のように細長い板を組み合わせて円筒状に形成する額縁では、多くの板材を準備しておいて現場で１つ１つ取り付ける必要があり、煩雑な作業となるという問題があった。また、円形窓から室内側壁までの距離は場合によって異なるため、現場において全ての板の長さを切り揃えるという作業が必要となり、かかる作業もまた作業者にとって煩雑なものとなっていた。
【０００７】
また、曲がりやすい合板を曲げて円筒を形成する額縁では、その性質上小径である円形窓の額縁の場合には曲げて円筒形にすることができずに折れてしまうという問題があった。近年において小径の円形窓もその需要を増しており、早急に解決するべき課題であった。また、ここでも円形窓から室内側壁までの距離は場合によって異なるので、現場において合板を所定の長さに切る必要が生じる場合があり、切り易さの観点からの問題もあった。
【０００８】
そこで、本発明は円形窓及びその周辺に合わせて加工及び施工し易い額縁及び該額縁を備えた窓を提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１の発明は、建物開口部に配置された円形である開口部装置（２１）と、建物の室内側壁（１）との間に配置される円形の額縁（１０）であって、板材の一端と、該一端に対向する他端とがつき合わせられて形成された円筒状の部材で、該円筒状の一端を開口部装置の室内側に、円筒状の他端を建物の室内側壁に配置されたシート材（１１）と、環状に形成され、シート材の円筒状である外周面に巻き付けられて配置された帯状の部材であるシート固定材（１２、１２）とを備える額縁を提供することにより前記課題を解決する。
【００１１】
請求項２の発明は、請求項１に記載の額縁（１０）が開口部装置（２１）の室内側に取り付けられて形成されることを特徴とする窓（２０）を提供することにより前記課題を解決する。
【発明の効果】
【００１２】
請求項１に記載の発明によれば、円形の開口部から室内側壁に渡されて配置される円筒状である額縁の断面が真円に近い形状を有しているので外観上に優れているとともに、予め異なる場所で組み立て、それを建物開口部に取り付けることが可能である等により作業性の優れた額縁を提供することができる。さらに、シート材の寸法は現場の状況に合わせて容易に変更することができるので、施工性に優れた額縁とすることが可能である。
【００１３】
請求項２の発明によれば、請求項１に記載された額縁を開口部装置と組み合わせた窓を提供することができるので、額縁と同様に外観に優れるとともに、作業性及び施工性に優れた窓とすることが可能となる。
【００１４】
本発明のこのような作用及び利得は、次に説明する発明を実施するための最良の形態から明らかにされる。
【発明を実施するための最良の形態】
【００１５】
以下本発明を図面に示す実施形態に基づき説明する。
【００１６】
図１は、１つの実施形態にかかる本発明の額縁１０及び該額縁を備えた窓２０が取り付けられた建物開口部の室内側斜視図である。本実施形態では、額縁１０と室内側壁１とが形成する角部にさらに環状の部材である見切り材３０が取り付けられている。このように本発明の額縁１０及び該額縁を備えた窓２０によれば、円形の開口部装置２１（図２参照）が設置された部位から建物の室内側壁１に至るまでの部位を適切に連結し、外観上優れた印象を与えることができる。さらには後述するように優れた作業性も有するので施工者にとって効率が良く、利便性の高い額縁及び該額縁を備えた窓を提供することが可能となる。
【００１７】
図２は、額縁１０、該額縁を備えた窓２０、及び見切り材３０の分解斜視図である。図２では紙面左下が室内側、紙面右上が室外側を示している。図２からもわかるように建物の開口部には最も室外側（紙面右上）に開口部装置２１が備えられ、その室内側にシート材１１、シート固定材１２、１２が配置されている。そしてさらに室内側に見切り材３０が取り付けられている。ここで本発明の額縁１０は、シート材１１及びシート固定材１２、１２を有している。また該額縁を備えた窓２０は、額縁１０及び開口部装置２１を備えて形成されている。
【００１８】
このように額縁１０及び該額縁を備えた窓２０を構成することにより、変形の少ない円形断面を有し、さらには施工性の優れた額縁及び該額縁を備えた窓を提供することができる。次に各構成要素について説明する。
【００１９】
シート材１１は、板状の部材の対向する一対の端部同士がつき合わせられるように曲げられ、円筒形が形成されたものである。シート材１１の長さ（円形断面における周囲長）は、開口部装置２１の径に合わせられた大きさに設定される。また、シート材１１の幅（室内外方向の長さ）は、開口部装置２１の室内側端部から建物室内側壁１までの長さとされる。さらにシート材１１の厚さは、特に限定されるものではないが、端部がつき合わせられて円筒形が形成されること、曲げ易さ、及び額縁として備えておく必要のある強度の観点から１〜１０ｍｍが好ましく、５ｍｍが最も好ましい。
【００２０】
シート材１１の材質は円筒形に曲げやすい材質であれば特に限定されるものではなく、様々な種類の材質を適用することが可能である。その中でも強度やコスト、及び切断し易さ等の観点からポリプロピレン発泡体が好ましい。
【００２１】
また、シート材１１の内面には、壁紙等が貼られても良い。室内側壁紙と同一の図柄等を有する壁紙をシート材１１の内側に貼り付けることにより、室内側壁との間に統一感を与えることが可能となる。また、シート材１１の内側に直接印刷等により図柄等を備えても良く、これにより壁紙を貼らなくても統一感を与えることのでき、意匠的にも優れた額縁を提供することができる。
【００２２】
シート固定材１２、１２は、帯状の部材を環状に曲げ、端部同士を接合して形成した部材である。接合方法は特に限定されるものではなく、適切に環状が形成されれば良い。これには例えば端部をわずかに重ねてリベットやネジによって接合することを挙げることができる。また、端部同士をつき合わせて、ろう付けや溶接等で接合しても良い。
【００２３】
シート固定材１２、１２の長さは、後述するようにシート材１１の外周に配置されたときに、該シート材１１の円筒形状を適切に保持することができる長さとされる。シート固定材１２、１２の幅は、特に限定されるものではないが、シート部材１１の幅よりも短く形成される。シート固定材１２、１２は、シート材１１の幅方向（室内外方向）の全長に亘って配置される必要はない。よってシート固定材は１本であっても良いし、数本が所定の間隔を有して配置されてもよい。本実施形態では、後述するように、額縁１０の開口部への取り付けの観点等から、シート材１１の幅の半分より小さい幅であるシート固定材１２、１２が２本配置されている。
【００２４】
シート固定材１２、１２の材質は、シート材１１を円筒状に保持するのに適した材質であれば特に限定されるものではない。その中でもいわゆるバネ材であるステンレス鋼バネ材が好適に用いられる。バネ材は塑性変形し難く、環状に曲げたときその性質により、真円に近い環状を維持することができる。よって、これをシート固定材１２、１２に適用することにより、シート材１１の断面も真円に近い円形が保持され、外観に優れた額縁１０とすることができる。
【００２５】
図３に、シート材１１とシート固定材１２、１２とが組み合わされた額縁１０の斜視図を示した。このようにシート材１１を外側から環状であるシート固定材１２、１２で囲むように保持することにより、額縁１０が全体として真円に近い断面を有する円筒状とされて、外観上優れた額縁とすることが可能になる。
【００２６】
また、かかる真円に近い断面を有する円筒を形成する際にも、シート材１１を曲げて、その周りをシート固定材１２、１２で囲むだけで良いのでその組み立てが容易であり、作業性の観点からも優れた額縁１０である。
【００２７】
図２に戻り、他の部材について説明する。開口部装置２１は、上述のように額縁１０を備えた窓２０に備えられた円形の開口部装置である。開口部装置２１は、枠体と障子とを備え、該障子には例えばガラスパネルが配置されている通常の開口部装置である。
【００２８】
見切り部材３０は、上述のように額縁１０の室内側で、室内側壁１（図１参照）と額縁１０とが形成する角部に備えられる。従って見切り部材３０は、略Ｌ字型の断面を有する棒状の部材が環状に形成されている。
【００２９】
次に各部材の配置について説明する。図４は額縁１０、開口部装置２１、及び見切り部材３０が建物開口部に取り付けられたときの縦断面を示す図である。図４では紙面左が室外側、紙面右が室内側である。図４からわかるように、額縁１０は、建物開口部の室外側に取り付けられた開口部装置２１の室内側端部に一端を、建物の室内側壁１に他端を接して配置されている。そして額縁１０の開口部への固定は、建物に備えられた横材２、２及び縦材３、３（図５参照）と額縁１０との間に挟まれて配置された調整部材４、４、４、４（図５参照）を介して横材２、２及び縦材３、３にネジ１３、１３、１３、１３（図５参照）により行われる。取り付け手順については後で詳しく説明する。さらに、額縁１０の室内側端部には見切り部材３０が取り付けられている。従って、室内にいる住人等は見切り部材３０の内側、額縁１０の内側及び開口部装置２１のガラスパネルを通じて建物外を見ることができる。
【００３０】
次に額縁１０の建物開口部への取り付けの手順を説明する。図５は、（ａ）〜（ｄ）で額縁１０の建物開口部への取り付け手順を順を追って概略的に示した図である。図５（ａ）は未だ円筒状にされていないシート材１１の斜視図である。図５（ａ）に示した状態で、シート材１１の幅の調整を行う。ここでは、図５（ａ）にＢで示したシート材１１の幅が、図４にＡで示した幅と同じになるように図５（ａ）にＣで示した余分な部位を切り取る。上述のように、本実施形態ではシート材１１はポリプロピレン発泡体を材料として使用しているので、カッター等で容易に切り取ることができる。これにより簡易的に寸法を調整することができるので、施工性の良い額縁１０を提供することができる。
【００３１】
上述のように所定の寸法に調整されたシート部材１１を、次に図５（ｂ）に示したようにシート固定材１２、１２と組み合わせて円筒状に形成する。本発明の額縁１０では、上述のような構成であることにより、連続した真円に近い断面を有する円筒状の額縁１０を形成することができる。加えて、該額縁１０は建物開口部とは離れた作業性の良い場所で予め組み上げることができ、作業性の良い額縁１０を提供することができる。また、寸法等が事前にわかっている場合には、工場や工務店等で予め組み上げておいても良い。
【００３２】
このように組み上げられた額縁１０を建物開口部に取り付けるには、図５（ｃ）に示したように、建物に備えられた横材２、２及び縦材３、３と、額縁１０との間に調整部材４、４、４、４を挟むように配置し、この部位に額縁１０側からネジ１３、１３、１３、１３を取り付ける。これにより額縁１０は建物開口部に適切に固定される。またこの後、額縁１０の内側に壁紙等が貼り付けられても良い。
【００３３】
そして、取り付けられた額縁１０の室内側から図５（ｄ）に示したように、その内側に差し込むように見切り部材３０を取り付ける。
【００３４】
以上のように本発明は、施工性が高く、かつ真円に近いことにより外観にも優れた額縁１０及び該額縁を備える窓２０を提供することができる。
【００３５】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う額縁及び該額縁を備えた窓も本発明の技術的範囲に包含されるものとして理解されなければならない。
【図面の簡単な説明】
【００３６】
【図１】本発明の１つの実施形態にかかる額縁及び該額縁を備えた窓を有する建物開口部の室内側斜視図である。
【図２】本発明の額縁、該額縁を備えた窓、及び見切り材の分解斜視図である。
【図３】額縁の斜視図である。
【図４】本発明の１つの実施形態にかかる額縁及び該額縁を備えた窓を有する建物開口部の縦断面である。
【図５】額縁及び見切り材が建物開口部に取り付けられる手順を順を追って示した概略図である。
【符号の説明】
【００３７】
１  室内側壁
２  横材
３  縦材
４  調整部材
５  室外側壁
１０  額縁
１１  シート材
１２  シート固定材
１３  ねじ
２０  窓
２１  開口部装置
３０  見切り材
【図１】
2007085133.tif 000003
【図２】
2007085133.tif 000004
【図３】
2007085133.tif 000005
【図４】
2007085133.tif 000006
【図５】
2007085133.tif 000007